【手続補正書】
【提出日】平成16年7月1日(2004.7.1)
【手続補正１】
【補正対象書類名】明細書
【補正対象項目名】特許請求の範囲
【補正方法】変更
【補正の内容】
【特許請求の範囲】
【請求項１】  特定の電子内容中に広告を挿入する方法において、
前記特定の電子内容をアクセスし、
前記特定の電子内容中に挿入される前記広告をダイナミックに受信し、
前記特定の電子内容中に広告を挿入して、前記特定の電子内容が前記広告を含んだ状態とし、
表示するための前記広告を含んだ前記内容を処理し、
フリッピングページを表示するよう構成されたブラウズ可能な電子ブックにおいて前記広告を含んだ前記内容を表示するステップを含んでいる方法。
【請求項２】  識別、受信、挿入、処理の前記ステップはウェブブラウザにより行われる請求項１記載の方法。
【請求項３】  受信された電子ブック分類コードに基づいて前記広告を前記特定の電子内容をターゲットにするステップをさらに含んでいる請求項１記載の方法。
【請求項４】  前記ターゲットにするステップは前記特定の電子内容に関連した人口統計学的情報の少なくとも１ユニットを生成し、受信することを含んでいる請求項３記載の方法。
【請求項５】  前記ターゲットにするステップは前記特定の電子内容に関係する人口統計学的情報のユニットと広告のターゲットの聴視者との比較を受信することを含んでいる請求項４記載の方法。
【請求項６】  前記広告を挿入する前記ステップで広告業者に料金請求するステップをさらに含んでいる請求項１項記載の方法。
【請求項７】  特定の電子内容中に広告を挿入するシステムにおいて、
読者が前記特定の電子内容を識別することを可能にするように構成された内容リクエスト装置と、
前記特定の電子内容中に挿入される前記広告をダイナミックに受信するように構成されている受信機と、
前記特定の電子内容中に前記広告を挿入するように構成された挿入機構と、
表示するために前記広告を含んでいる前記内容を処理するように構成された表示処理装置と、
フリッピングペ−ジを含み、前記フリッピングページの少なくとも１つに含まれている前記広告を有するブラウズ可能な電子ブックを表示するように構成された表示装置とを具備しているシステム。
【請求項８】  広告情報と内容の人口統計学的情報とを考慮し、比較結果を出力するように構成されている決定装置と、
前記比較結果に基づいて前記特定の広告を選択するように構成されている選択装置とをさらに含んでいる請求項７記載のシステム。
【請求項９】  広告業者に借方記入するように構成されているデビット通知発生器をさらに具備している請求項７記載のシステム。
【請求項１０】  特定の電子内容中に広告を挿入するシステムにおいて、
前記特定の電子内容を識別する手段と、
前記特定の電子内容中に挿入される前記広告をダイナミックに受信する手段と、
前記特定の電子内容中に前記広告を挿入する手段と、
少なくとも前記フリッピングペ−ジの１つに含まれる前記広告を有するフリッピングペ−ジを表示するよう構成されたブラウズ可能な電子ブックにおいて前記広告を含んだ前記内容を表示する手段とを具備しているシステム。
【請求項１１】  ウェブサイトから内容を受信し、
前記内容中に挿入される広告をダイナミックに受信し、
前記内容中の１つの位置に前記広告を挿入し、
表示するために前記広告を含んだ前記内容を処理し、
前記フリッピングページの少なくとも１つに含まれる前記広告を有するフリッピングページを表示するよう構成されたブラウズ可能な電子ブックの前記広告を含んだ前記内容を表示し、
商品を推奨するために前記広告を使用する広告業者に料金を請求するステップを含んでいる収益発生方法。
【請求項１２】  前記内容にアクセスする可能性のある人の集団に関する人口統計学的情報を収集され、
前記収集された人口統計学的情報を前記広告のターゲット観察者と整合するステップをさらに含んでいる請求項１１記載の方法。
【請求項１３】  ウェブサイトから内容をアクセスする手段と、
前記内容にアクセスする可能性のある人の集団に関する人口統計学的情報を収集する手段と、
前記広告のターゲット観察者の収集した人口統計学的情報とを整合する手段と、
整合規準を広告するターゲット観察者に基づいた前記広告にアクセスする手段と、
表示するために前記広告のダイナミックな受信を含んでいる前記内容を処理する手段と、
前記フリッピングページの少なくとも１つに含まれる前記広告を有するフリッピングページを表示するよう構成されたブラウズ可能な電子ブックの前記広告を含んだ前記内容を表示する手段と、
前記広告を使用する広告業者に料金を請求する手段とを含んでいる広告収益を発生するシステム。
【請求項１４】  ウェブサイトから内容にアクセスするよう構成されたデータアクセス装置と、
前記内容にアクセスする可能性のある人の集団に関する人口統計学的情報を収集されるよう構成された人口統計学的情報の収集装置と、
前記広告のターゲット観察者と収集された人口統計学的情報とを整合するよう構成された整合装置と、
前記整合された収集された人口統計学的情報に基づいて広告にダイナミックにアクセスするよう構成された受信装置と、
前記内容中に前記広告を挿入するように構成された挿入装置と、
表示するための前記内容および前記広告を処理するよう構成された内容処理装置と、
前記フリッピングページの少なくとも１つに前記広告を有するフリッピングページを表示するよう構成されたブラウズ可能な電子ブックに前記広告を含む前記内容を表示するよう構成された表示装置と、
商品を推奨するために前記広告を使用する広告業者に料金を請求するように構成された料金請求装置を含んでいる広告収益を発生するシステム。
【請求項１５】  コンピュータシステムで実行するプログラム命令を含み、この命令はコンピュータにより実行されるとき、コンピュータシステムに請求項１乃至１２のいずれか１項記載の方法を実行させるコンピュータの読取り可能な媒体。
【請求項１６】  前記表示するステップは広告を前記フリッピングページの１以上のページにわたって表示する請求項１記載の方法。
【請求項１７】  前記受信するステップはダイナミック配送機構を介して受信するステップを含んでいる請求項１記載の方法。
【請求項１８】  広告業者、出版業者、および加入者の少なくとも１つによる事前登録データの処理を含んでいる請求項１記載の方法。
【請求項１９】  加入者情報の分配を制限することによって加入者のプライバシーを維持するステップを含んでいる請求項１記載の方法。
【請求項２０】  前記タ−ゲットにするステップは広告パラメータの利用を含んでいる請求項３記載の方法。
【請求項２１】  前記広告パラメータは、
広告識別子と、
広告カテゴリと、
表示持続時間と、
広告の大きさと、
広告位置と、
広告開始時間と、
広告停止時間と、
広告反復率と、
広告率とのうちの少なくとも１つを含んでいる請求項２０記載の方法。
【請求項２２】  前記少なくとも人口統計学的データの１つのユニットは、
性別と；
年齢と；
教育レベルと；
趣味と；
職業と；
地理学的位置と；
収入レベルと；
個人の習慣とのうち少なくとも１つを含んでいる請求項４記載の方法。
【請求項２３】  前記挿入機構は前記フリッピングページの１ページ以上にわたって前記広告を挿入するよう構成されている請求項７記載のシステム。
【請求項２４】  前記受信機はダイナミック配送機構を介して受信するよう構成されている請求項１記載のシステム。
【請求項２５】  事前登録装置は広告業者、出版業者、および加入者の少なくとも１つから事前登録データを受けるように構成されている請求項７記載のシステム。
【請求項２６】  加入者情報の分配を制限するよう構成された加入者ライバシー機構を含んでいる請求項７記載のシステム。
【請求項２７】  広告パラメータを利用するよう構成されたターゲット機構を含んでいる請求項７記載のシステム。
【請求項２８】  前記広告パラメータは
広告識別子と、
広告カテゴリと、
表示持続時間と、
広告の大きさと、
広告位置と、
広告開始時間と、
広告停止時間と、
広告反復率と、
広告率とのうちの少なくとも１つを含んでいる請求項２７記載の方法。
【請求項２９】  人口統計データを利用するように構成された前記ターゲット機構は、
性別と；
年齢と；
教育レベルと；
趣味と；
職業と；
地理学的位置と；
収入レベルと；
個人の習慣とのうち少なくとも１つを含んでいる請求項２７記載の方法。
【請求項３０】  広告業者、出版業者、および加入者の少なくとも１つによる事前登録データの処理を含んでいる請求項１０記載のシステム。
【請求項３１】  さらに、加入者のプライバシーを保証する手段を含んでいる請求項１０記載のシステム。
【請求項３２】  ターゲット観察者に対して前記広告をターゲットにする手段を含んでいる請求項１０記載のシステム。
【請求項３３】  前記表示するステップは、前記広告を前記フリッピングページの１ページ以上にわたって表示するステップを含んでいる請求項１１記載の方法。
【請求項３４】  広告ステップの前記受信は、
ダイナミック配送機構を介して受信するステップを含んでいる請求項１１記載の方法。
【請求項３５】  広告業者、出版業者、および加入者の少なくとも１つによる事前登録データの処理を含んでいる請求項１１記載の方法。
【請求項３６】  加入者情報の分配を制限することによって加入者のプライバシーを維持するステップを含んでいる請求項１１記載の方法。
【請求項３７】  広告業者、出版業者、および加入者の少なくとも１つによる事前登録データの処理手段を含んでいる請求項１３記載のシステム。
【請求項３８】  前記整合ステップは広告パラメータを利用を含んでいる請求項１２記載の方法。
【請求項３９】  前記広告パラメータは、
広告識別子と、
広告カテゴリと、
表示持続時間と、
広告の大きさと、
広告位置と、
広告開始時間と、
広告停止時間と、
広告反復率と、
広告率とのうちの少なくとも１つを含んでいる請求項３８記載の方法。
【請求項４０】  人口統計データは、
性別と；
年齢と；
教育レベルと；
趣味と；
職業と；
地理学的位置と；
収入レベルと；
個人の習慣とのうちの少なくとも１つを含んでいる請求項１２記載の方法。
【請求項４１】  さらに、加入者のプライバシーを保証する手段を含んでいる請求項１３記載のシステム。
【請求項４２】  前記ディスプレイ装置は前記広告を前記フリッピングペ−ジの１以上のページにわたって表示するよう構成されている請求項１４記載のシステム。
【請求項４３】  前記受信装置はダイナミックな受信機構を介して受信するよう構成されている請求項１４記載のシステム。
【請求項４４】  事前登録装置は広告業者、出版業者、および加入者の少なくとも１つによって事前登録データ処理を行うように構成された請求項１４記載のシステム。
【請求項４５】  加入者情報の分配を制限するよう構成された加入者プライバシー装置を含んでいる請求項１４記載のシステム。
【請求項４６】  前記整合装置は広告パラメータを利用するよう構成されている請求項１４記載のシステム。
【請求項４７】  前記広告パラメータは、
広告確認と、
広告カテゴリと、
表示持続時間と、
広告の大きさと、
広告位置と、
広告開始時間と、
広告停止時間と、
広告反復率と、
広告率とのうちの少なくとも１つを含んでいる請求項３８記載の方法。
【請求項４８】  収集された人口統計データは、
性別；
年齢；
教育レベル；
趣味；
職業；
地理学的位置；
収入レベル；
個人の習慣とのうち少なくとも１つを含んでいる請求項１４記載のシステム。
【手続補正２】
【補正対象書類名】図面
【補正対象項目名】図６
【補正方法】変更
【補正の内容】
【図６】
2004528585.tif 000001